(57)【特許請求の範囲】
【請求項１】
回転軸と、回転軸により駆動される圧縮機構と、回転軸と圧縮機構とを収容するハウジングとを備え、ハウジングのボス部を貫通して回転軸がハウジング外へ延び、ハウジングのボス部に外嵌固定されたラジアルベアリングを介してハウジングのボス部により回転可能に支持されたプーリーがハウジング外へ延びた回転軸の端部に電磁クラッチを介することなく連結すると共に外部駆動源に作動係合し、プーリーのボス部の一端に環状部材が固定され、環状部材に微小隙間を隔てて対峙する環状端面がハウジングに形成されており、環状部材の微小隙間を隔ててハウジング端面に対峙する面に、後退翼状の螺旋溝が形成されていることを特徴とするクラッチレス圧縮機。
【請求項２】
回転軸と、回転軸により駆動される圧縮機構と、回転軸と圧縮機構とを収容するハウジングとを備え、ハウジングのボス部を貫通して回転軸がハウジング外へ延び、ハウジングのボス部に外嵌固定されたラジアルベアリングを介してハウジングのボス部により回転可能に支持されたプーリーがハウジング外へ延びた回転軸の端部に電磁クラッチを介することなく連結すると共に外部駆動源に作動係合し、プーリーのボス部の一端に環状部材が固定され、環状部材に微小隙間を隔てて対峙する環状端面がハウジングに形成されており、環状部材の微小隙間を隔ててハウジング端面に対峙する面に、後退翼状の螺旋突起が形成されていることを特徴とするクラッチレス圧縮機。
【請求項３】
環状部材の内縁部が、ラジアルベアリングの一端とプーリーのボス部の一端とにより挟持されていることを特徴とする請求項１又は２に記載のクラッチレス圧縮機。
【請求項４】
環状部材は、プーリーのボス部の一端に圧入されていることを特徴とする請求項１又は２に記載のクラッチレス圧縮機。
【請求項５】
環状部材は、合成樹脂製であることを特徴とする請求項３又は４に記載のクラッチレス圧縮機。
【請求項６】
環状部材は、プーリーのボス部の一端に溶接されていることを特徴とする請求項１又は２に記載のクラッチレス圧縮機。
【請求項７】
環状部材は、周方向に互いに間隔を隔てて配設されプーリーのボス部の一端へ差し向けられた複数の突起を有しており、当該突起がプーリーのボス部の一端にスポット溶接されていることを特徴とする請求項６に記載のクラッチレス圧縮機。
【発明の詳細な説明】
【技術分野】
【０００１】
本発明は、クラッチレス圧縮機に関するものである。
【背景技術】
【０００２】
回転軸と、回転軸により駆動される圧縮機構と、回転軸と圧縮機構とを収容するハウジングとを備え、ハウジングのボス部を貫通して回転軸がハウジング外へ延び、ハウジングのボス部に外嵌固定されたラジアルベアリングを介してハウジングのボス部により回転可能に支持されたプーリーがハウジング外へ延びた回転軸の端部に電磁クラッチを介することなく連結すると共に外部駆動源に作動係合し、プーリーのボス部の一端に微小隙間を隔てて対峙する環状端面がハウジングに形成されたクラッチレス圧縮機が特許文献１に開示されている。
特許文献１のクラッチレス圧縮機においては、プーリーのボス部の一端とハウジングの環状端面とが微隙間を隔てて対峙することにより、ラジアルベアリングへの水の侵入が抑制され、ラジアルベアリングの耐久性が向上する。
【特許文献１】特開２００４−１１４５５
【発明の開示】
【発明が解決しようとする課題】
【０００３】
近年、車両空調用圧縮機においては、生産性向上と軽量化とを実現すべく、板金加工により製造されたプーリーを採用する傾向にある。板金加工により製造されたプーリーは、ボス部の両端を折り曲げてラジアルベアリングの外レースに圧入固定されるが、折り曲げ部の外面は円弧面になるので、ボス部の一端とハウジングの環状端面との間に微小隙間を形成するのが困難になる。
本発明は上記問題に鑑みてなされたものであり、板金加工により製造されたプーリーを用いた場合でも、ラジアルベアリングへの水の侵入を抑制できるクラッチレス圧縮機を提供することを目的とする。
【課題を解決するための手段】
【０００４】
上記課題を解決するために、本発明においては、回転軸と、回転軸により駆動される圧縮機構と、回転軸と圧縮機構とを収容するハウジングとを備え、ハウジングのボス部を貫通して回転軸がハウジング外へ延び、ハウジングのボス部に外嵌固定されたラジアルベアリングを介してハウジングのボス部により回転可能に支持されたプーリーがハウジング外へ延びた回転軸の端部に電磁クラッチを介することなく連結すると共に外部駆動源に作動係合し、プーリーのボス部の一端に環状部材が固定され、環状部材に微小隙間を隔てて対峙する環状端面がハウジングに形成されており、環状部材の微小隙間を隔ててハウジング端面に対峙する面に、後退翼状の螺旋溝が形成されていることを特徴とするクラッチレス圧縮機を提供する。
また本発明においては、回転軸と、回転軸により駆動される圧縮機構と、回転軸と圧縮機構とを収容するハウジングとを備え、ハウジングのボス部を貫通して回転軸がハウジング外へ延び、ハウジングのボス部に外嵌固定されたラジアルベアリングを介してハウジングのボス部により回転可能に支持されたプーリーがハウジング外へ延びた回転軸の端部に電磁クラッチを介することなく連結すると共に外部駆動源に作動係合し、プーリーのボス部の一端に環状部材が固定され、環状部材に微小隙間を隔てて対峙する環状端面がハウジングに形成されており、環状部材の微小隙間を隔ててハウジング端面に対峙する面に、後退翼状の螺旋突起が形成されていることを特徴とするクラッチレス圧縮機を提供する。
本発明に係るクラッチレス圧縮機においては、プーリーのボス部の一端に環状部材を固定したので、板金加工により製造されたプーリーのボス部の両端が折り曲げてラジアルベアリングの外レースに圧入固定され、折り曲げ部の外面が円弧面を形成している場合でも、プーリーのボス部の一端に代えて、環状部材とハウジングの環状端面との間に微小隙間を形成することができ、ラジアルベアリングへの水の侵入を抑制できる。環状部材の回転により生ずる遠心力と、後退翼状の複数の螺旋溝、或いは後退翼状の複数の螺旋突起に挟まれた後退翼状の複数の螺旋凹部とを利用して、微小隙間に流入した水を微小隙間から効率よく排出することができる。
【０００５】
環状部材は、環状部材の内縁部をラジアルベアリングの一端とプーリーのボス部の一端とで挟持することにより、プーリーのボス部の一端に固定しても良く、或いは、環状部材をプーリーのボス部の一端に圧入することにより、プーリーのボス部の一端に固定しても良い。
上記の場合、環状部材を合成樹脂製とすることにより、圧縮機の軽量化を図ることができる。
【０００６】
環状部材は、プーリーのボス部の一端に溶接されることにより、プーリーのボス部の一端に固定されても良い。
スポット溶接により、溶接の手間を削減することができる。
【０００７】
周方向に互いに間隔を隔てて配設されプーリーのボス部の一端へ差し向けられた複数の突起を環状部材に形成し、当該突起をプーリーのボス部の一端にスポット溶接しても良い。
突起をスポット溶接することにより、溶接部の強度を高めることができる。
【発明の効果】
【０００８】
本発明に係るクラッチレス圧縮機においては、プーリーのボス部の一端に環状部材を固定したので、板金加工により製造されたプーリーのボス部の両端が折り曲げてラジアルベアリングの外レースに圧入固定され、折り曲げ部の外面が円弧面を形成している場合でも、プーリーのボス部の一端に代えて、環状部材とハウジングの環状端面との間に微小隙間を形成することができ、ラジアルベアリングへの水の侵入を抑制できる。環状部材の回転により生ずる遠心力と、後退翼状の複数の螺旋溝、或いは後退翼状の複数の螺旋突起に挟まれた後退翼状の複数の螺旋凹部とを利用して、微小隙間に流入した水を微小隙間から効率よく排出することができる。
【発明を実施するための最良の形態】
【０００９】
本発明の実施例に係るクラッチレス圧縮機を説明する。
図１に示すように、クラッチレス斜板式圧縮機Ａは、回転軸１と、ロータ２と斜板３とピストン４とを有し回転軸１により駆動される圧縮機構５と、回転軸１と圧縮機構５とを収容するハウジング６とを備えている。
ハウジングのボス部６ａを貫通して回転軸１がハウジング外へ延びている。ラジアルベアリング７が、ハウジングのボス部６ａに外嵌固定されている。プーリー８が、ラジアルベアリング７を介してハウジングのボス部６ａにより回転可能に支持されている。プーリー８は、電磁クラッチを介することなく、トルクリミッター９を介して、ハウジング外へ延びた回転軸１の端部に連結すると共に、図示しない外部駆動源に作動係合している。
プーリー８は、板金加工により製造されている。図１、２に示すように、プーリー８は、ボス部８ａの両端を折り曲げてラジアルベアリングの外レース７ａに圧入固定されている。ボス部８ａの両端折り曲げ部の外面は円弧面を形成している。
環状板１０が、折り返された内縁部がボス部８ａの一端の折り曲げ部とラジアルベアリングの外レース７ａの一端とに挟持された状態で、ボス部８ａの一端に固定されている。
環状板１０に微小隙間Ｓを隔てて対峙する環状端面６ｂがハウジング６に形成されている。
環状隙間Ｓの内奥部は、環状空洞部１１を形成している。環状空洞部１１は、環状隙間Ｓ’を介して、ラジアルベアリング７の一端に対峙している。
【００１０】
クラッチレス斜板式圧縮機Ａにおいては、プーリー８のボス部８ａの一端に環状板１０を固定したので、板金加工により製造されたプーリー８のボス部８ａの両端が折り曲げられてラジアルベアリング７の外レース７ａに圧入固定され、ボス部８ａ折り曲げ部の外面が円弧面を形成している場合でも、プーリーのボス部８ａの一端に代えて、環状板１０とハウジング６の環状端面６ａとの間に微小隙間Ｓを形成することができ、ラジアルベアリングへ７の水の侵入を抑制できる
【００１１】
図３に示すように、環状板１０をプーリー８のボス部８ａの一端に圧入することにより、プーリー８のボス部８ａの一端に固定しても良い。
図２、３の構成において、環状板１０は、金属製でも合成樹脂製でも良いが、合成樹脂製にすれば、圧縮機を軽量化することができる。
【００１２】
図４（ａ）に示すように、環状板１０を、プーリー８のボス部８ａの一端に溶接することにより、プーリー８のボス部８ａの一端に固定しても良い。
この場合、図４（ｂ）に示すように、周方向に互いに間隔を隔てて配設されプーリー８のボス部８ａの一端へ差し向けられた複数の突起１０ａを環状板１０に形成し、突起１０ａをプーリー８のボス部８ａの一端にスポット溶接しても良い。スポット溶接により、隅肉溶接等に比べて溶接の手間を削減することができる。突起１０ａをスポット溶接することにより、溶接部の強度を高めることができる。
【００１３】
図５に示すように、環状板１０の微小隙間Ｓを隔ててハウジング端面６ｂに対峙する面に、後退翼状の複数の螺旋溝１０ｂ、或いは後退翼状の複数の螺旋突起１０ｃを形成しても良い。
環状板１０の回転により生ずる遠心力と、後退翼状の複数の溝１０ｂ、或いは後退翼状の複数の螺旋突起１０ｃに挟まれた後退翼状の複数の螺旋凹部１０ｄとを利用して、微小隙間Ｓに流入した水を微小隙間Ｓから、径方向外方へ効率よく排出することができる。
【産業上の利用可能性】
【００１４】
本発明は、クラッチレス斜板式圧縮機のみならず、クラッチレス揺動板式圧縮機等、電磁クラッチを介することなく外部駆動源に直結した種々のクラッチレス圧縮機に広く利用可能である。
【図面の簡単な説明】
【００１５】
【図１】本発明の実施例に係るクラッチレス斜板式圧縮機の断面図である。
【図２】本発明の実施例に係るクラッチレス斜板式圧縮機の部分拡大断面図である。
【図３】本発明の実施例に係るクラッチレス斜板式圧縮機の部分拡大断面図である。
【図４】本発明の実施例に係るクラッチレス斜板式圧縮機の部分拡大断面図である。
【図５】本発明の実施例に係るクラッチレス斜板式圧縮機が備える環状板の正面図である。
【符号の説明】
【００１６】
Ａ  クラッチレス斜板式圧縮機
Ｓ、Ｓ’  環状隙間
２  ロータ
３  斜板
４  ピストン
５  圧縮機構
６  ハウジング
７  ラジアルベアリング
８  プーリー
９  トルクリミッター
１０  環状板
１１  環状空洞部
【図１】
0004568663.tif 000002
【図２】
0004568663.tif 000003
【図３】
0004568663.tif 000004
【図４】
0004568663.tif 000005
【図５】
0004568663.tif 000006